(57)【特許請求の範囲】
【請求項１】
水栓本体とシャワー配管との間に介在されるシャワー接続具を水栓本体に取り付けるためのシャワー接続具の取付構造であって、
前記シャワー配管を用いて前記水栓本体とシャワー吐水口を連絡し、
前記シャワー接続具を水栓本体の取付孔に挿嵌すると共に、水栓本体からのシャワー接続具の抜脱を防止する抜け止め手段を備えたシャワー接続具の取付構造であり、
前記抜け止め手段は、シャワー接続具に設けられた被係止部に、シャワー接続具以外の部材に取着された抜け止め部材の係止部を係止させることにより構成されていると共に、
前記シャワー接続具に周方向に沿った溝状若しくは段部状の被係止部を設け、この被係止部をプレート状の抜け止め部材の係止部で係止したことを特徴とするシャワー接続具の取付構造。
【請求項２】
水栓本体とシャワー配管との間に介在されるシャワー接続具を水栓本体に取り付けるためのシャワー接続具の取付構造であって、
前記シャワー配管を用いて前記水栓本体とシャワー吐水口を連絡し、
前記シャワー接続具を水栓本体の取付孔に挿嵌すると共に、水栓本体からのシャワー接続具の抜脱を防止する抜け止め手段を備えたシャワー接続具の取付構造であり、
前記水栓本体に第１の取付孔と第２の取付孔とを併設し、シャワー接続具を両取付孔に挿嵌したことを特徴とするシャワー接続具の取付構造。
【請求項３】
前記抜け止め手段は、シャワー接続具に設けられた被係止部に、シャワー接続具以外の部材に取着された抜け止め部材の係止部を係止させることにより構成されていることを特徴とする請求項２に記載のシャワー接続具の取付構造。
【請求項４】
前記抜け止め部材が、水栓本体を設置部に取り付けるために介在されるステーであることを特徴とする請求項１又は請求項３の何れかに記載のシャワー接続具の取付構造。
【発明の詳細な説明】
【０００１】
【発明の属する技術分野】
本各発明は、水栓本体とシャワー配管との間に介在されるシャワー接続具を水栓本体に取り付けるためのシャワー接続具の取付構造に関する。
【０００２】
【従来の技術】
シャワー付きの水栓では、シャワー配管を用いて水栓本体とシャワー吐水口を連絡するのが一般的である。この種の水栓の中には、水栓本体とシャワー配管とを直に接続するのではなく、別体のシャワー接続具を介在させた状態にて接続するものがある。具体的には、水栓本体の接続口に螺合固定されるシャワー接続具を用いて水栓本体とシャワー配管とを接続したものが知られている。
【０００３】
【発明が解決しようとする課題】
しかし、この種の水栓では、以下のような問題を生ずる。
即ち、図６（ａ）は、シャワー接続具７０の一例としてのシャワーエルボーを示しており、一端側の水栓接続部８３を水栓本体１１の接続口１Ｈに螺合固定すると共に、他端側の配管接続部８０をシャワー配管１Ｋの始端に接続して用いられる。
ところが、このようにシャワー接続具７０がシャワーエルボー等の方向性を有するものである場合、接続口１Ｈへの螺合固定では、その方向性が定まらない。よって、例えば、図６（ｂ）の一点鎖線若しくは二点鎖線に示すように、配管接続部８０の方向に「位置ずれ」を生じ、位置決め配置されたシャワー配管１Ｋの始端に、配管接続部８０を的確に接続できないことがある。
【０００４】
更に、螺合式のシャワー接続具７０を用いる場合には、水栓本体１１の接続口１Ｈに雌ネジ１Ｊを設ける必要があるため、その分、水栓本体１１の構造が複雑化し、製造上の手間やコストが嵩むことになる。しかも、水栓本体１１には、雌ネジ１Ｊを刻設可能な十分な肉厚を確保しなければならない。
【０００５】
本各発明はこのような実状に鑑みてなされたものであり、その目的とするところは、シャワー接続具を水栓本体に対して正確に位置決めすることができ、しかも、水栓本体の構造の簡略化を図ることもできるシャワー接続具の取付構造を提供することである。
【０００６】
【課題を解決するための手段】
以上の課題を解決するために、本各発明が採った手段は、先ず、請求項１の発明に係わるシャワー接続具の取付構造では、
「水栓本体とシャワー配管との間に介在されるシャワー接続具を水栓本体に取り付けるためのシャワー接続具の取付構造であって、
前記シャワー配管を用いて前記水栓本体とシャワー吐水口を連絡し、
前記シャワー接続具を水栓本体の取付孔に挿嵌すると共に、水栓本体からのシャワー接続具の抜脱を防止する抜け止め手段を備えたシャワー接続具の取付構造であり、
前記抜け止め手段は、シャワー接続具に設けられた被係止部に、シャワー接続具以外の部材に取着された抜け止め部材の係止部を係止させることにより構成されていると共に、
前記シャワー接続具に周方向に沿った溝状若しくは段部状の被係止部を設け、この被係止部をプレート状の抜け止め部材の係止部で係止したこと」
をその要旨とする。
また、請求項２の発明に係わるシャワー接続具の取付構造では、
「水栓本体とシャワー配管との間に介在されるシャワー接続具を水栓本体に取り付けるためのシャワー接続具の取付構造であって、
前記シャワー配管を用いて前記水栓本体とシャワー吐水口を連絡し、
前記シャワー接続具を水栓本体の取付孔に挿嵌すると共に、水栓本体からのシャワー接続具の抜脱を防止する抜け止め手段を備えたシャワー接続具の取付構造であり、
前記水栓本体に第１の取付孔と第２の取付孔とを併設し、シャワー接続具を両取付孔に挿嵌したこと」
をその要旨とする。
【０００７】
請求項１の発明及び請求項２によると、取付孔へ挿嵌し、抜け止めを講じることによってシャワー接続具を取り付けるため、シャワー接続具が方向性を有するものであっても、正確に位置決めすることができる。また、水栓本体には、シャワー接続具を螺合するための雌ネジを設ける必要がなく、水栓本体の構造の簡略化や薄肉化を図ることもできる。
【０００８】
ここで、「シャワー接続具」としては、例えばシャワーエルボーのような屈曲形状を呈して方向性を備えるものに限らず、直管のように方向性を有さないものも包含する。尚、方向性を有するシャワー接続具としては、その外形に起因するものに限定されない。例えば、直管状に形成されており、外形の面では方向性を備えない場合であっても、その周面に「シャワー接続具であることを示す表示」や「ハンドシャワー、ボディシャワー等のシャワー態様を示す表示」等が描かれ、「この表示を使用者・施工業者が認識し易い位置、例えば、水栓の前面側や上面側等に向けるべき等の取付上の制約」がある場合等には、方向性を備えることになるからである。また、外形の面で方向性を有するものとしては、外面に何らかの部材のための基準面が設けられている場合等も例示できる。
【０００９】
また、請求項２の発明の「抜け止め手段」としては、後述する請求項３の発明のような「係止により抜け止めを行う抜け止め部材を用いる手段」に限定されず、例えば、ロー付け等の接着による抜け止め、止めネジによる抜け止め等の種々の手段を選択できる。
【００１０】
次に、請求項２の発明のシャワー接続具の取付構造では、
「前記水栓本体に第１の取付孔と第２の取付孔とを併設し、シャワー接続具を両取付孔に挿嵌したこと」
をその要旨とする。
【００１１】
請求項２の発明によると、シャワー接続具の挿嵌部分が複数の取付孔によって支持されるため、シャワー接続具のガタツキが防止され、取付安定性が高められる。
尚、本発明において、第１の取付孔と第２の取付孔は、水栓本体の上下方向、前後方向、左右方向、斜め上下方向、斜め前後方向、斜め左右方向等の所望の方向に沿って併設することができる。
【００１２】
次に、請求項３の発明のシャワー接続具の取付構造では、
「請求項２の発明のシャワー接続具の取付構造において、
前記抜け止め手段は、シャワー接続具に設けられた被係止部に、シャワー接続具以外の部材に取着された抜け止め部材の係止部を係止させることにより構成されていること」
をその要旨とする。
請求項３の発明及び請求項１の発明によると、より簡単な構造にてシャワー接続具のより確実な抜け止めを行うことができる。ここで、請求項３の発明の「係止」の具体的な態様として、「シャワー接続具に周方向に沿った溝状や段部状の被係止部を設け、この被係止部をプレート状の抜け止め部材の係止部で係止したもの」等を例示できる。
尚、抜け止め部材を取着する部材としては、水栓本体や、水栓本体に装着された種々の機器、或いは、水栓本体を設置部に取り付けるためのステーや、設置部に取り付けられた種々の機器等を例示することができる。
また、抜け止め部材自体の取着方法も特に問わず、例えば、水栓本体や、水栓の設置部にビス止め等の手法で取着したり、他の部材を介して取着すること等が例示できる。
【００１３】
最後に、請求項４の発明のシャワー接続具の取付構造では、
「請求項１又は請求項３の発明のシャワー接続具において、
前記抜け止め部材が、水栓本体を設置部に取り付けるために介在されるステーであること」
をその要旨とする。
【００１４】
請求項４の発明では、抜け止めの他に別の機能を有する部材によって抜け止め部材を兼用することで、部品点数の減少や水栓の構造の簡略化を図っている。
ここで、別の機能を有する部材としては、水栓本体を設置部に取り付けるために介在されるステーである。
【００１５】
【発明の実施の形態】
次に、本各発明に関わる「シャワー接続具の取付構造」の実施の形態を、図面に従って詳細に説明する。
本例では、図１〜図４を用いて本各発明を水栓１０に適用した一適用例について説明する。
先ず、本水栓１０の概要を図１を用いて説明する。この水栓１０は、ユニットバスの壁面パネル等を用いて構成される設置部１Ａに取り付けられている。尚、この設置部１Ａは、図示を省略する浴室の奥壁前方に立ち上げられてたものである。
【００１６】
本例では、水栓１０として湯水混合水栓を用いており、水栓本体１１と、これを被覆するカバー２０とを備えている。尚、水栓１０は、予め適温となるように温度調節された混合湯水を扱う単水栓等の他のタイプの水栓であってもよい。
水栓本体１１は、湯水の混合調節を行う温度調節弁２Ｂと、流出路をカラン側の流出路１５若しくはシャワー側の流出路１６に切り換えると共に流量調節を行う流路切換弁２Ｃと、を内蔵している。そして、水栓本体１１の右側面には流路切換弁２Ｃを操作するための操作部１Ｅが取着されており、水栓本体１１の左側面には温度調節弁２Ｂを操作するための操作部１Ｅが取着されている。
【００１７】
上記の温度調節弁２Ｂとしては、例えば、（ａ）ワックスエレメントや形状記憶合金エレメント等の温度変化に対応して変形する感温素子を用いて構成され、湯及び水の混合度合いを自動的に調節するサーモスタット方式、（ｂ）互いに摺動して流路の開閉を行う固定ディスクと可動ディスクとを用いて構成される摺動ディスク方式、（ｃ）湯と水との混合度合いを別個のハンドルにより調節する２ハンドル方式等の種々の方式のものを利用できる。また、流路切換弁２Ｃとしては、（ｄ）摺動ディスク方式、（ｅ）対向する一対の弁口に対して弁体を進退させて流路の切換及び流量調節を行うリフト方式等の種々の方式のものを利用できる。
【００１８】
上記の流路切換弁２Ｃの外郭を構成するハウジングの小径部の周面には、図示破線に示す、カラン側の流出口２Ｇが開口し、前述のカラン側の流出路１５と連通可能となっている。また、このハウジングの大径部の周面にも、図示破線に示す、シャワー側の流出口２Ｊが開口し、前述のシャワー側の流出路１６と連通可能となっている。
また、水栓本体１１の背面の図示左方からは温度調節弁２Ｂに給湯を行うための湯側の接続口１３が突出し、図示右方からは温度調節弁２Ｂに給水を行うための水側の接続口１３が突出している。尚、この接続口１３の数は、単水栓においては１つとなる。また、両接続口１３の根本側の周囲部には平滑面１２が隆起状に設けられている。
【００１９】
カバー２０としては、主カバー２１及び図示破線の副カバー２２からなる分割型カバーを用いている。このうち、主カバー２１は、水栓本体１１の上面、前面及び底面前方寄りを被覆するものであり、水栓本体１１にその前面側より装着される。また、主カバー２１の前面側の左右両端にはカラー２３が取着され、主カバー２１の水栓本体１１前方への抜け止めが図られる。また、副カバー２２は、水栓本体１１の両側面と、底面の残部とを被覆するものであり、水栓本体１１にその底面側より装着される。但し、後述するように、副カバー２２は水栓本体１１等を設置部１Ａに設置した後に装着される。尚、カバー２０としては、本例に示す分割型のものに限らず、一体型のものを用いてもよいし、水栓１０がカバーを備えないものであってもよい。
【００２０】
ところで、設置部１Ａは、前述のように、浴室の奥壁の前方に立設されており、奥壁と設置部１Ａとの間には、図１に示すように、共に剛性管で構成された給湯用の水道配管１Ｆの端末と、給水用の水道配管１Ｆの端末とが引き回されている。尚、各水道配管１Ｆを、可撓管を用いて構成してもよい。
また、設置部１Ａには、前述の湯側及び水側の両接続口１３、１３と略同ピッチで、２つの貫通孔１Ｂ、１Ｂが穿設されている。そして、この設置部１Ａに対して、前述の水栓１０が、左右一対のアダプター３０、３０及び固定ステー４０を有する接続具Ｓと、固定部材４４と、取付ステー５０とを用いて取り付けられる。次に、これらに関し、図２及び図３を中心に詳述する。
【００２１】
アダプター３０は、図２に示すように、三段階に外径を変化させた段差型筒状物であり、最大径部分が前述の湯側若しくは水側の各接続口１３、１３に接続可能な前方接続部３１とされ、最小径部分が給湯用若しくは給水用の各水道配管１Ｆに接続可能な後方接続部３２とされている。また、前方接続部３１は前述の貫通孔１Ｂに遊入可能な外径を備え、外周面には雄ネジ３３が刻設されている。また、前方接続部３１の内周面には２つの周回溝が設けられ、各周回溝にはシール部材３４、３４がはめこまれている。更に、後方接続部３２の外周面には雄ネジ３５が刻設され、前方接続部３１及び後方接続部３２に挟まれた中間部３６にも、雄ネジ３７が刻設されている。
【００２２】
固定ステー４０は、図２に示すように、両アダプター３０を所望のピッチで固定するものである。この固定ステー４０は、略矩形状の薄板を用いて構成され、両端側に略長円形状の固定孔４１を穿設している。そして、両固定孔４１間のピッチは、２つの貫通孔１Ｂ、１Ｂと略同ピッチとされている。
本例では、固定ステー４０にその前面側より、アダプター３０の後方接続部３２及び中間部３６が挿入され、中間部３６及び前方接続部３１の境界の段部が固定ステー４０の前面に当接する。そして、中間部３６の雄ネジ３７に固定ステー４０の後面側より、ナット４３が螺合され、両アダプター３０が固定ステー４０に固定されて、全体で接続具Ｓを構成する。尚、本例では、中間部３６の周面部分に一対の平行面（所謂２面幅）が形成され、この周面部分が前述の固定孔４１の孔形状と対応した略長円状の外形を呈している。そして、この周面部分が固定孔４１に嵌合するため、両アダプター３０は固定ステー４０に対して周り止め固定された状態となっている。
【００２３】
また、図２に示すように、左側の後方接続部３２には袋ナット１Ｇを用いて給湯用の水道配管１Ｆの端末が接続され、右側の後方接続部３２には同様にして給水用の水道配管１Ｆの端末が接続される。これにより、接続具Ｓは、その前方接続部３１を前述の湯側及び水側の両接続口１３、１３と略同ピッチに配置した状態にて保持しつつ、剛性管を用いて構成される両水道配管１Ｆによって片持ち梁状に支持された状態となる。但し、固定ステー４０の使用を省略したり、固定ステー４０の代わりに、ボックス形状等の他の態様の固定具を用いてもよい。
【００２４】
本例では、各水道配管１Ｆと各後方接続部３２との接続作業を、奥壁前方に設置部１Ａを立設配置する前に行う。そして、設置部１Ａの立設作業の一環として、各前方接続部３１が設置部１Ａの裏面側より、シートパッキン１Ｃを介在させながら貫通孔１Ｂに挿入される。これにより、各前方接続部３１は各貫通孔１Ｂ内に納まった状態となる。また、本例では、各前方接続部３１が雌型に形成され、シール部材３４、３４が外部へと露呈しないため、この挿入作業の際に各貫通孔１Ｂの内壁面やこの内壁面に存在する「バリ」等が、シール部材３４、３４に接触することはない。
【００２５】
この挿入作業によって固定ステー４０の前面が設置部１Ａの裏面にシートパッキン１Ｃを挟んで当接する。尚、本例では、固定ステー４０の前面を用いて、設置部１Ａ裏面に当接する当接面を構成したが、前方接続部３１の根本側にフランジ部を延出し、このフランジ部の前面によって、この当接面を構成してもよい。また、本例と異なり、各水道配管１Ｆと各後方接続部３２との接続作業や、前方接続部３１の貫通孔１Ｂへの挿入作業を、奥壁前方に予め立設された設置部１Ａの裏面側で行う場合には、設置部１Ａに適宜な作業口を設ければよく、作業性の面で、可撓管で構成された水道配管１Ｆを用いることが好適である。
【００２６】
固定部材４４は、図２に示すように、固定鍔４５を備えたナットにより構成され、内周面には前方接続部３１の雄ネジ３３に螺合可能な雌ネジ４６を備える。この固定部材４４は、シートパッキン１Ｄと取付ステー５０とを介在させた状態にて、設置部１Ａの表面側より貫通孔１Ｂに挿入され、前方接続部３１に螺合締結される。これにより、固定鍔４５と固定ステー４０の前面とで設置部１Ａを挟持して接続具Ｓは設置部１Ａに堅固に固定される。尚、本例と異なり、固定部材４４が雄型とされ、前方接続部３１が雌型とされてもよいし、両者の取着方法も螺合に限定されない。
【００２７】
図３に示すように、本例では、水栓本体１１が設置部１Ａに取付ステー５０と補助プレート５１とを介して固定されている。ここで、補助プレート５１は、水栓本体１１を設置部１Ａに固定する機能を有するものであるが、この機能以外にも、後述するように、請求項４の発明に従って、シャワー接続具７０の抜け止めをも行うものである。尚、設置部１Ａへの水栓本体１１の固定に際しては、この補助プレート５１を省略して、水栓本体１１を直に取付ステー５０に取り付けるよう構成してもよい。また、水栓本体１１を設置部１Ａに直に固定してもよいし、ソケット等の接続管を介して設置部１Ａに固定してもよい。
【００２８】
一方、取付ステー５０は、設置部１Ａに予め取着されて水栓本体１１を設置部１Ａに取り付けるためのものである。この取付ステー５０は、水栓本体１１の背面側に配置されるものであり、図２に示すように、略矩形の薄板を主体に構成され、左右両端側に挿通孔５２を備えている。そして、挿通孔５２に固定部材４４のボスを挿通させた状態で、固定鍔４５と設置部１Ａとに挟持され、設置部１Ａの表面に固定されている。また、図３に示すように、取付ステー５０の上部両側面からは、先端を略鍵型形状としたフック５３が突設し、下部の両端側からは、内周面に雌ネジを刻設した連結筒５４が突出している。
【００２９】
補助プレート５１は、図３に示すように、水栓本体１１の底面に取着されるものである。この補助プレート５１は、断面略くの字状の薄板を用いて構成され、水栓本体１１の底面に止めネジ５９を用いて固定される平板部５７と、水栓本体１１の下方に垂下する、左右一対の垂下部６０とを備える。また、平板部５７の後方側の端縁には、略半円状の切り欠き部５８が設けられ、請求項４の発明の係止部５８の一具体例を構成している。
【００３０】
本例では、図３に示すように、補助プレート５１を抜け止め部材として、この補助プレート５１の水栓本体１１への取着に伴って、シャワー接続具７０を水栓本体１１に抜け止め固定している。次に、この点に関し、図４を中心に詳述する。
シャワー接続具７０としては、シャワーエルボーが採用されており、図４に示すように、このシャワー接続具７０は、略筒形状とされた挿嵌部７１と、略エルボー形状とされた接続具本体７２とを備える。また、挿嵌部７１及び接続具本体７２の境界には被係止部７３が周回溝状に設けられ、この被係止部７３には前述の補助プレート５１の係止部５８が嵌合可能となっている。但し、請求項１又は請求項３の発明の「被係止部」はこれに限定されず、例えば、挿嵌部７１と接続具本体７２との境界に設けられる段部等であってもよい。
また、挿嵌部７１の上端部７４及び下端部７５の各周面には各々周回溝が設けられ、各周回溝にはシール部材７６、７６がはめ込まれ、中間部には周方向に沿って略等間隔に４つの連通孔７７が穿設されている。
【００３１】
ここで、図４に示す水栓本体１１内の空間部分１７は、前述のシャワー側の流出路１６と連通するシャワー室１７を示している。このシャワー室１７の下面側には第１の取付孔１８が略筒状に開口し、上面側には第２の取付孔１９が略筒状に開口している。尚、本例では、第１の取付孔１８及び第２の取付孔１９に雌ネジを設ける必要がなく、また、雌ネジを設けるために第１の取付孔１８及び第２の取付孔１９を厚肉に形成する必要がないため、水栓本体１１の構造の簡略化が図られている。また、図４に示すカラン１４には、前述のカラン側の流出路１５が連通している。
【００３２】
本例では、前記シャワー接続具７０の挿嵌部７１を、その上端部７４側より、第１の取付孔１８を通じてシャワー室１７に挿入し、続いて、上端部７４を第２の取付孔１９に挿嵌し、下端部７５を第１の取付孔１８に挿嵌する。これにより、シャワー接続具７０の内部空間は連通孔７７を介してシャワー室１７と連通する。
本例では、図４に示すように、シャワー配管１Ｋが設置部１Ａの裏面側において引き回される、いわゆる「裏配管」とされており、シャワー配管１Ｋの始端が水栓１０の下方において設置部１Ａから突出されている。このため、シャワー接続具７０の装着作業に際しては、接続具本体７２の配管接続部８０が、シャワー配管１Ｋの始端と連結可能な方向、即ち、配管接続部８０の開口端が設置部１Ａと対向する方向に調節される。この調節作業は、挿嵌部７１の軸線を中心に、シャワー接続具７０を回転するだけで行うことができるため、容易である。
【００３３】
尚、本各発明においては、第１の取付孔１８の内壁面若しくは第２の取付孔１９の内壁面の少なくとも一方に、図５（ａ）に示す平面状や、図示しない凹面状、凸面状等の各種面形状の位置決め面７８を設けると共に、これに対応する挿嵌部７１の周面部分に位置決め面７８と衝合可能な衝合面７９を設け、位置決め面７８と衝合面７９とを位置合わせしながらシャワー接続具７０を装着してもよい。このようにすると、水栓本体１１へのシャワー接続具７０の装着によってシャワー接続具７０の位置決めがなされるため、上記調節作業を省略することができる。
【００３４】
シャワー接続具７０の抜け止め固定は、図４に示すように、補助プレート５１の係止部５８を被係止部７３にその側方よりはめ込みつつ、この補助プレート５１の平板部５７を水栓本体１１の底面に固定することによって行われる。このように、本例では、請求項４の発明に従って、「抜け止め部材」として他の機能を有する部材を採用しているため、抜け止めだけのために別途の部材を用意する必要がない。よって、部品点数の減少や水栓１０全体の構造の単純化を図ることができる。
尚、請求項２の発明においては、シャワー接続具７０を水栓本体１１に直に抜け止め固定してもよい。例えば、シャワー接続具７０を第１の取付孔１８の内壁面若しくは第２の取付孔１９の内壁面の少なくと一方に接着固定したり、ロー付け固定してもよい。また、シャワー接続具７０を第１の取付孔１８若しくは第２の取付孔１９の少なくとも一方に止めネジにより固定してもよい。更には、図５（ｂ）に示すように、第２の取付孔１９の開口部よりも大径のフランジ部を備える止めネジ８５を上端部７４に螺着して、シャワー接続具７０を抜け止め固定してもよい。
【００３５】
一方、本例では、請求項２の発明に従って、挿嵌部７１を２つの取付孔１８、１９に挿嵌して２個所にて支持することにより、シャワー接続具７０の取付安定性を高めているが、請求項１の発明においては、図５（ｃ）に示すように、挿嵌部７１を１つの取付孔１８のみに挿入してもよい。この態様においてはシャワー接続具７０の構造の単純化やコンパクト化を図ることができる。
【００３６】
補助プレート５１及びシャワー接続具７０を取着した水栓本体１１には、主カバー２１と、左右の両操作部１Ｅ、１Ｅとが取着された後に取付ステー５０に取り付けられ、設置部１Ａに設置される。この主カバー２１等を取着した水栓本体１１は、図１に示すように、湯側の接続口１３を左側の前方接続部３１に位置合わせし、水側の接続口１３を右側の前方接続部３１に位置合わせしながら、設置部１Ａの側へと押し込まれる。この押し込み作業は、水栓本体１１の平滑面１２が、固定部材４４の表面４７に当接するまで行われ、この押し込み作業の後に、水栓本体１１が取付ステー５０に固定され、設置部１Ａに取着される。即ち、図３に示すように、フック５３先端側を挟着した状態にて、水栓本体１１の両側面のネジ穴に止めネジ５５を螺合し、垂下部６０を挟着した状態にて、連結筒５４の雌ネジに止めネジ５６を螺合する。
【００３７】
この取付ステー５０への水栓本体１１の固定が完了した後に、副カバー２２が装着される。この際、図４に示すように、接続具本体７２は副カバー２２の通過口２４を通じて外部に露呈する。そして、接続具本体７２の配管接続部８０と、シャワー配管１Ｋの始端とを袋ナット８４等を介して接続する。この接続作業は、配管接続部８０とシャワー配管１Ｋの始端とが正確に位置合わせされているため、円滑に行われる。
【００３８】
尚、本例では、本各発明の「裏配管」への一適用例を示しているが、シャワー配管１Ｋが設置部１Ａの前面側を主体に引き回される、いわゆる、「表配管」に対しても好適に適用できる。この場合には、シャワー接続具７０として、シャワーエルボーに代えて、直管状のものを用いることもできる。
【００３９】
また、本各発明では、「方向性を有するシャワー接続具」の配管接続部の方向を、挿嵌部の軸心を中心とした何れの回転方向に向けてもよい。この点に関し、本例を用いて具体的に述べると、前記被係止部７３を周回溝状に設けているため、シャワー接続具７０を挿嵌部７１の軸心を中心として何れの回転角に回転させても、被係止部７３には係止部５８が嵌合可能である。このため、例えば、シャワー配管１Ｋの始端が水栓１０の下方において右側方より到達している場合には、シャワー接続具７０を本例に比べて右回転させた状態にて水栓本体１１に取着すれば、配管接続部８０の開口端をシャワー配管１Ｋの始端に対向する方向に向けることができる。
【００４０】
また、本各発明においては、被係止部７３及び係止部５８間の係止状態を緩和する等して、既に水栓本体１１に取り付けられたシャワー接続具７０を、挿嵌部７１の軸心を中心として回転自在とすることもできる。この場合には、例えば、シャワー接続具７０を取着した状態にて水栓１０が工場出荷されたとしても、施工現場におけるシャワー配管１Ｋの引き回し状態に応じて、シャワー接続具７０を取着したままの状態にて、シャワー接続具７０を所望方向に回転し、配管接続部８０をシャワー配管１Ｋに的確に接続することができる。
【００４１】
【発明の効果】
以上のように、本各発明のシャワー接続具の取付構造によると、シャワー接続具を水栓本体に対して正確に位置決めすることができ、しかも、水栓本体の構造の簡略化を図ることもできる。
【図面の簡単な説明】
【図１】発明の実施の形態で説明した水栓を示す横断面図である。
【図２】図１の一部分解横断面図である。
【図３】図１の水栓を底面側より目視した斜視図である。
【図４】図１の水栓の要部を示す縦断面図である。
【図５】（ａ）は発明の実施の形態の他の例を示す横断面図、（ｂ）は発明の実施の形態の更に他の例を示す縦断面図、（ｃ）は発明の実施の形態の更に別の例を示す縦断面図である。
【図６】（ａ）は従来例に係わるシャワー接続具を示す縦断面図、（ｂ）は図６（ａ）の１−１横断面図である。
【符号の説明】
１Ａ；設置部、１Ｂ；貫通孔、１Ｃ；シートパッキン、１Ｄ；シートパッキン、１Ｅ；操作部、１Ｆ；水道配管、１Ｇ；袋ナット、１Ｈ；接続口、１Ｊ；雌ネジ、１Ｋ；シャワー配管、２Ｂ；温度調節弁、２Ｃ；流路切換弁、２Ｇ；カラン側の流出口、２Ｊ；シャワー側の流出口、１０；水栓、１１；水栓本体、１２；平滑面、１３；接続口、１４；カラン、１５；カラン側の流出路、１６；シャワー側の流出路、１７；シャワー室、１７；空間部分、１８；第１の取付孔、１９；第２の取付孔、２０；カバー、２１；主カバー、２２；副カバー、２３；カラー、２４；通過口、３０；アダプター、３１；前方接続部、３２；後方接続部、３３；雄ネジ、３４；シール部材、３５；雄ネジ、３６；中間部、３７；雄ネジ、４０；固定ステー、４１；固定孔、４３；ナット、４４；固定部材、４５；固定鍔、４６；雌ネジ、４７；表面、５０；取付ステー、５１；補助プレート、５２；挿通孔、５３；フック、５４；連結筒、５５；止めネジ、５６；止めネジ、５７；平板部、５８；係止部、５８；切り欠き部、５９；止めネジ、６０；垂下部、７０；シャワー接続具、７１；挿嵌部、７２；接続具本体、７３；被係止部、７４；上端部、７５；下端部、７６；シール部材、７７；連通孔、７８；位置決め面、７９；衝合面、８０；配管接続部、８３；水栓接続部、８４；袋ナット、８５；止めネジ、Ｓ；接続具。
【図１】
0003663593.tif 000002
【図２】
0003663593.tif 000003
【図３】
0003663593.tif 000004
【図４】
0003663593.tif 000005
【図５】
0003663593.tif 000006
【図６】
0003663593.tif 000007